(57)【要約】【課題】着用者の肌への過度な負荷を与えることなく、着用者の身体にフィットし、着用者の身体からズレ難い構造を有する使い捨ておむつ１０を提供する。【解決手段】本発明に係る使い捨ておむつ１０は、吸収体４０に形成され、製品幅方向Ｗに沿って延びて使い捨ておむつ１０の曲げ基点となる第１変曲部１１６と、吸収体４０に形成され、製品幅方向Ｗに沿って延びて使い捨ておむつ１０の曲げ基点となると共に、第１変曲部１１６よりも後胴回り域側に位置する第２変曲部１２５とを備え、クロッチ伸縮部２００ａは、胴回り保持部１１５と交差することなく胴回り保持部１１５から独立して備えられ、一対のウェスト伸縮部２１０の間に、非伸縮領域２１１が形成されている。【選択図】図１
2013248263.tif 000002
【特許請求の範囲】
【請求項１】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域に向かって延びる吸収体を備え、
前記前胴回り域から前記後胴回り域に向かう製品長手方向と、前記製品長手方向と直交する製品幅方向とを有する使い捨ておむつであって、
前記前胴回り域及び前記後胴回り域において、前記製品幅方向に沿って延び、前記使い捨ておむつを着用者の身体に保持するように構成されている胴回り保持部と、
前記股下域に形成されたクロッチ伸縮部と、
前記後胴回り域に形成され、前記製品幅方向に伸縮可能な一対のウェスト伸縮部と、
前記吸収体に形成され、前記製品幅方向に沿って延びて前記使い捨ておむつの曲げ基点となる第１変曲部と、
前記吸収体に形成され、前記製品幅方向に沿って延びて前記使い捨ておむつの曲げ基点となると共に、前記第１変曲部よりも前記後胴回り域側に位置する第２変曲部とを備え、
前記クロッチ伸縮部は、前記胴回り保持部と交差することなく前記胴回り保持部から独立して備えられ、
前記一対のウェスト伸縮部の間に、非伸縮領域が形成されていることを特徴とする使い捨ておむつ。
【請求項２】
前記一対のウェスト伸縮部は、前記製品長手方向外側寄りの位置において接続されるように構成されていることを特徴とする請求項１に記載の使い捨ておむつ。
【請求項３】
前記クロッチ伸縮部は、少なくとも前記製品長手方向に伸縮可能となるように構成されていることを特徴とする請求項１又は２に記載の使い捨ておむつ。
【請求項４】
第１距離は、前記ウェスト伸縮部の各々における前記製品幅方向内側の端部と前記使い捨ておむつにおける前記製品幅方向の中心線との間の距離であり、
第２距離は、前記吸収体における前記製品幅方向外側の端部と前記中心線との間の距離であり、
前記後胴回り域において、前記第１距離が前記第２距離以下となる領域が設けられていることを特徴とする請求項１乃至３のいずれか一項に記載の使い捨ておむつ。
【請求項５】
前記後胴回り域において、ファスニングテープを備え、
前記ウェスト伸縮部の各々における前記製品幅方向外側の端部は、前記ファスニングテープの基端部と重ならないように構成されていることを特徴とする請求項１乃至４のいずれか一項に記載の使い捨ておむつ。
【請求項６】
前記クロッチ伸縮部における前記製品長手方向の前記前胴回り域側の端部と前記使い捨ておむつの前記製品長手方向の前記前胴回り域側の端部との間の距離は、前記クロッチ伸縮部における前記製品長手方向の前記後胴回り域側の端部と前記使い捨ておむつの前記製品長手方向の前記後胴回り域側の端部との間の距離よりも短くなるように構成されていることを特徴とする請求項１乃至５のいずれか一項に記載の使い捨ておむつ。
【請求項７】
前記非伸縮領域に対応する位置の肌当接面側のシートには、凹凸が設けられていることを特徴とする請求項１乃至６のいずれか一項に記載の使い捨ておむつ。
【請求項８】
前記非伸縮領域の前記製品幅方向の長さは、前記クロッチ伸縮部の前記製品幅方向の長さよりも長くなるように構成されていることを特徴とする請求項１乃至７のいずれか一項に記載の使い捨ておむつ。
【発明の詳細な説明】
【技術分野】
【０００１】
本発明は、使い捨ておむつに関する。
【背景技術】
【０００２】
従来、前胴回り域と、後胴回り域と、前胴回り域と後胴回り域との間に位置する股下域とを有し、一対の脚回り開口部が形成されると共に、股下域を跨ぎ前胴回り域及び後胴回り域に向かって延びる吸収体を備えた使い捨ておむつが知られている。
【０００３】
ここで、かかる使い捨ておむつを着用者の身体にフィットさせるために、かかる使い捨ておむつの胴回り域にエラストマー要素を設けることが提案されている（特許文献１参照）。
【先行技術文献】
【特許文献】
【０００４】
【特許文献１】特許第４８２４０１３号
【発明の概要】
【発明が解決しようとする課題】
【０００５】
しかしながら、上述のような使い捨ておむつの胴回り域の構造（エラストマー要素）によって、使い捨ておむつを着用者の身体にフィットさせるためには、かかる胴回り域の構造全体として、着用者の身体に対するフィット性を高める必要があり、その結果、着用者の肌への負荷が大きくなってしまうという問題点があった。
【０００６】
また、従来のテープ型の使い捨ておむつにおいては、着用者の脚が動いた場合や着用者が抱っこの姿勢を取った場合に、かかる使い捨ておむつが、着用者の背中においてズレてしまい、一旦、かかるズレが発生すると、かかる使い捨ておむつは、着用者の背中から股下部までの領域で、着用者の身体から離れてしまうという問題があった。
【０００７】
そこで、本発明は、このような状況に鑑みてなされたものであり、着用者の肌への過度な負荷を与えることなく、着用者の身体にフィットし、着用者の身体からズレ難い構造を有する使い捨ておむつの提供を目的とする。
【課題を解決するための手段】
【０００８】
本発明の第１の特徴は、前胴回り域と、後胴回り域と、前記前胴回り域と前記後胴回り域との間に位置する股下域と有し、一対の脚回り開口部が形成されると共に、前記股下域を跨ぎ前記前胴回り域及び前記後胴回り域に向かって延びる吸収体を備え、前記前胴回り域から前記後胴回り域に向かう製品長手方向と、前記製品長手方向と直交する製品幅方向とを有する使い捨ておむつであって、前記前胴回り域及び前記後胴回り域において、前記製品幅方向に沿って延び、前記使い捨ておむつを着用者の身体に保持するように構成されている胴回り保持部と、前記股下域に形成されたクロッチ伸縮部と、前記後胴回り域に形成され、前記製品幅方向に伸縮可能な一対のウェスト伸縮部と、前記吸収体に形成され、前記製品幅方向に沿って延びて前記使い捨ておむつの曲げ基点となる第１変曲部と、前記吸収体に形成され、前記製品幅方向に沿って延びて前記使い捨ておむつの曲げ基点となると共に、前記第１変曲部よりも前記後胴回り域側に位置する第２変曲部とを備え、前記クロッチ伸縮部は、前記胴回り保持部と交差することなく前記胴回り保持部から独立して備えられ、前記一対のウェスト伸縮部の間に、非伸縮領域が形成されていることを要旨とする。
【発明の効果】
【０００９】
本発明の特徴によれば、着用者の肌への過度な負荷を与えることなく、着用者の身体にフィットし、着用者の身体からズレ難い構造を有する使い捨ておむつを提供することができる。
【図面の簡単な説明】
【００１０】
【図１】本発明の実施形態に係る使い捨ておむつにおいて、レッグ伸縮部及びレッグサイドギャザーを構成する弾性部材が伸長した状態の展開平面図の一例である。
【図２】本発明の実施形態に係る使い捨ておむつにおいて、レッグ伸縮部及びレッグサイドギャザーを構成する弾性部材が伸長した状態の展開平面図の一例である。
【図３】図１に示すＦ-Ｆ線に沿った本実施形態に係る使い捨ておむつの断面図である。
【図４】本発明の実施形態に係る使い捨ておむつの着用者への装着状態を模式的に示す図である。
【発明を実施するための形態】
【００１１】
図１乃至図４を参照して、本発明の第１の実施形態に係る使い捨ておむつ１０について説明する。
【００１２】
なお、以下の図面の記載において、同一又は類似の部分には、同一又は類似の符号を付している。ただし、図面は模式的なものであり、各寸法の比率等は現実のものとは異なることに留意すべきである。
【００１３】
したがって、具体的な寸法等は、以下の説明を参酌して判断すべきである。また、図面相互間においても互いの寸法の関係や比率が異なる部分が含まれ得る。
【００１４】
なお、本実施形態では、テープ型の使い捨ておむつ１０を例に挙げて説明を行うが、本発明は、パンツ型の使い捨ておむつ１０にも適用可能である。
【００１５】
図１及び図２は、本実施形態に係る使い捨ておむつ１０の展開平面図であり、図３は、図１に示したＦ-Ｆ線に沿った本実施形態に係る使い捨ておむつ１０の断面図であり、図４は、本実施形態に係る使い捨ておむつ１０の着用者への装着状態を模式的に示す図である。
【００１６】
図１及び図２に示すように、本実施形態に係る使い捨ておむつ１０は、前胴回り域２０と、股下域２５と、後胴回り域３０とを有する。また、使い捨ておむつ１０には、一対の脚回り開口部３５が形成されている。
【００１７】
ここで、前胴回り域２０は、着用者の前胴回り部と接する部分であり、後胴回り域３０は、着用者の後胴回り部と接する部分であり、股下域２５は、前胴回り域２０と後胴回り域３０との間に位置する部分である。
【００１８】
なお、本実施形態では、前胴回り域２０から後胴回り域３０に向かう方向を製品長手方向Ｌと呼び、製品長手方向Ｌと直交する方向を製品幅方向Ｗと呼ぶこととする。
【００１９】
本実施形態に係る使い捨ておむつ１０は、股下域２５を跨ぎ前胴回り域２０及び後胴回り域３０に延びる吸収体４０を備える。図３に示すように、吸収体４０は、吸収体コア４０ａとコアラップ４０ｂとによって構成されている。
【００２０】
吸収体コア４０ａは、従来の使い捨ておむつで用いられているものと同様であり、粉砕パルプや高吸収ポリマー等、公知の部材や材料を用いて、吸収体コア４０ａを適宜構成することができる。吸収体コア４０ａは、シート状のコアラップ４０ｂによって包まれている。
【００２１】
コアラップ４０ｂは、吸収体コア４０ａを被覆するシートである。コアラップ４０ｂの少なくとも肌当接面側の一部は、液透過性を有する各種の繊維不織布若しくはティッシュシートによって構成されている。
【００２２】
例えば、コアラップ４０ｂを構成する部材としては、質量約１０〜３０ｇ/ｍ２のエアスルー繊維不織布や、スパンボンド不織布や、ＳＭＳ（スパンボンド-メルトブロン-スパンボンド）不織布や、質量約１０〜３０ｇ/ｍ２のティッシュシートを用いることができる。
【００２３】
また、図３に示すように、吸収体４０の表面側（肌当接面側）には、液透過性のトップシート５０が備えられており、吸収体４０の裏面側（非肌当接面側）には、バックシート６０が備えられている。
【００２４】
さらに、図３に示すように、トップシート５０とバックシート６０との間に、液不透過性の防漏シート６１が備えられている。
【００２５】
吸収体４０の製品幅方向Ｗにおける両側縁部には、サイドフラップ７０がそれぞれ備えられている。サイドフラップ７０は、１枚又は２枚以上の複数枚重ねた不織布によって構成されている。
【００２６】
また、図１及び図２に示すように、本実施形態に係る使い捨ておむつ１０は、後胴回り域３０において、一対のファスニングテープ９０を備えており、前胴回り域２０の非肌当接面側の所定領域において、ターゲットテープ９１を備えている。
【００２７】
ここで、ファスニングテープ９０が、ターゲットテープ９１に取り付けられることによって、使い捨ておむつ１０を着用者の身体に保持することができる。
【００２８】
本実施形態において、前胴回り域２０と後胴回り域３０とファスニングテープ９０とによって、胴回り保持部１１５が構成される。
【００２９】
後胴回り域３０の胴回り保持部１１５は、ファスニングテープ９０の係合部材が設けられた領域から製品幅方向Ｗに延びる範囲である。前胴回り域２０の胴回り保持部１１５は、ターゲットテープ９１が設けられた領域から製品幅方向Ｗに延びる範囲である。
【００３０】
また、図１及び図２に示すように、本実施形態に係る使い捨ておむつ１０は、股下域２５内において吸収体４０が配置されている吸収体配置領域内に形成されるクロッチ伸縮部２００ａを備えていてもよい。
【００３１】
例えば、クロッチ伸縮部２００ａは、吸収体４０（コアラップ４０ｂ）と防漏シート６１との間に備えられていてもよい。
【００３２】
ここで、クロッチ伸縮部２００ａは、製品長手方向Ｌに伸縮可能であってもよいし、製品長手方向Ｌ及び製品幅方向Ｗの両方に伸縮可能であってもよい。
【００３３】
かかる場合、クロッチ伸縮部２００ａは、伸縮性シート部材によって構成されていてもよい。
【００３４】
クロッチ伸縮部２００ａは、レッグ伸縮部７５とは個別独立して設けられており、吸収体コア４０ａと重なる位置（本実施形態では、吸収体コア４０ａを包むコアラップ４０ｂとバックシート６０との間の位置）において、当該重なる位置における吸収体コア４０ａの幅方向の長さの６０％以上を収縮させるように構成されている。
【００３５】
このように、クロッチ伸縮部２００ａによって吸収体コア４０ａが配置された部分を収縮させることにより、吸収体コア４０ａが縮み、吸収性コア４０ａ40aが縮まない部分と比較して平坦な形状を維持し易くなる。
【００３６】
一方、クロッチ伸縮部２００ａよりも製品長手方向Ｌ外側に位置する前胴回り域２０や後胴回り域３０に位置する吸収体コア4４０ａは、クロッチ伸縮部２００ａによって収縮していない。
【００３７】
したがって、ファスニングテープ９０により、着用者の腰やウエスト周りに保持された状態において、使い捨ておむつ１０の股下域２５に平坦な形状で維持されるクロッチ伸縮部２００ａが、過度に着用者の身体に密着することなく、結果、クロッチ伸縮部２００ａが、適度に着用者の身体に沿って配置される。
【００３８】
例えば、かかる伸縮性シート部材としては、ウレタンやスチレンのような熱可塑性エラストマー樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【００３９】
また、かかる伸縮性シート部材の代わりに、ポリウレタン弾性繊維や天然ゴムからなる糸状・帯状の伸縮可能な弾性部材を、互いに並列に並べることによってクロッチ伸縮部２００ａを構成してもよい。
【００４０】
かかる場合、吸収体コア４０ａの剛性及び使い捨ておむつ１０を構成する他の部材の剛性を考慮して、用いる弾性部材の太さや配置するピッチを適宜選択できるが、この場合、クロッチ伸縮部２００ａによって吸収体コア４０ａを一様に縮めるためには、弾性部材同士の間隔を、７ｍｍ以下とすることが好ましく、５ｍｍ以下とすることがより好ましい。また、吸収体コア４０ａを一様に縮めるために、隣り合う弾性部材の間隔の差は、２ｍｍ以下であることが望ましい。
【００４１】
具体的には、クロッチ伸縮部２００ａの伸縮率は、１.２倍以上１.８倍以下であることが好ましい。例えば、本実施形態では、クロッチ伸縮部２００ａの伸縮率は、１.４倍に設定されていてもよい。
【００４２】
伸縮率は、伸縮方向（本実施形態では、製品長手方向Ｌ）におけるクロッチ伸縮部２００ａの伸縮の程度を意味し、以下の（式１）によって規定される。
【００４３】
伸縮率＝（最大伸張状態におけるクロッチ伸縮部２００ａの伸縮方向における長さ）/（自然状態におけるクロッチ伸縮部２００ａの伸縮方向における長さ）…（式１）
なお、本明細書において、かかる伸縮率は、例えば、次のように測定されるものとする。
【００４４】
第１に、使い捨ておむつ１０がパッケージ等に封入されている場合には、パッケージから使い捨ておむつ１０を取り出し、その状態にて２０℃±２℃、相対湿度６０％±５％ＲＨの雰囲気下において６０分間放置する。
【００４５】
第２に、かかる状態（すなわち、自然状態）における所望領域の伸縮方向における長さ、及び、自然状態から弾性部材による皺が目視にて確認できない状態まで延伸した時の（すなわち、最大伸張状態における）所望領域の伸縮方向における長さを測定し、前述の（式１）を用いて伸縮率を算出する。
【００４６】
このように、クロッチ伸縮部２００ａの伸縮率を、１.２倍以上１.８倍以下とすることによって、着用者の皮膚の伸縮に好適に追従することができる。
【００４７】
例えば、着用者が、身体前側が縮むような前屈みの姿勢をとると、着用者の臀部側の皮膚が、身体を伸ばした状態に対して３０％程度伸びる。
【００４８】
つまり、クロッチ伸縮部２００ａの伸縮率を１.２倍以下とすると、自然状態におけるクロッチ伸縮部２００ａの収縮が十分でなく、クロッチ伸縮部２００ａが設けられていない場合と比較して、使い捨ておむつ１０の曲げ易さの差が小さく、所望の位置において前胴回り域２０が立ち上がらなくなってしまう。
【００４９】
一方、クロッチ伸縮部２００ａの伸縮率を１.８倍よりも大きくすると、クロッチ伸縮部２００ａの収縮方向における収縮寸法が大きくなり過ぎるため、クロッチ伸縮部２００ａが存在する領域が、身体に沿うよりも密着する状態となり易く、使い捨ておむつ１０が、着用者の下方にズレ易くなってしまう。
【００５０】
なお、図１及び図２に示すように、クロッチ伸縮部２００ａは、胴回り保持部１１５と交差することなく胴回り保持部１１５から独立して備えられている。
【００５１】
また、クロッチ伸縮部２００ａの製品長手方向Ｌにおける収縮量は、使い捨ておむつ１０の製品長手方向Ｌにおける長さの２〜８％となるように構成されていてもよい。
【００５２】
なお、収縮量は、皺が十分に小さくなり、サンプルの表面が平滑に近くなるように伸長した状態での長さ「ｂ（ｍｍ）」と、サンプルの伸縮方向に沿う向きにおける自然状態での長さ「ａ（ｍｍ）」との差であり、（ｂ-ａ）によって算出されることができる。
【００５３】
本発明者は、クロッチ伸縮部２００ａの製品長手方向Ｌにおける収縮量を、使い捨ておむつ１０の製品長手方向Ｌにおける長さの２〜８％とすると、使い捨ておむつ１０を着用者に対して装着する過程において、クロッチ伸縮部２００ａが、好ましく着用者の身体に沿い易くなることを確認することができた。
【００５４】
ここで、クロッチ伸縮部２００ａの製品長手方向Ｌにおける収縮量を、８％より大きくすると、クロッチ伸縮部２００ａが、縮み過ぎてしまい、使い捨ておむつ１０の製品長手方向Ｌにおける長さが足りず、使い捨ておむつ１０を着用者の身体に付け難くなったり、使い捨ておむつ１０及び着用者の身体が、股下域２５において、過度に密着してズレ易くなったりしてしまう。
【００５５】
一方、クロッチ伸縮部２００ａの製品長手方向Ｌにおける収縮量を、２％以下とすると、使い捨ておむつ１０を着用者の身体に近付けるというクロッチ伸縮部２００ａの効果そのものが発現し難くなってしまう。
【００５６】
また、図１及び図２に示すように、吸収体４０の表面側（トップシート５０側）には、脚回り開口部３５に沿って形成され、少なくとも製品長手方向Ｌに伸縮可能な一対のレッグ伸縮部（レッグギャザー）７５が備えられている。
【００５７】
レッグ伸縮部７５は、製品長手方向Ｌにおいて、クロッチ伸縮部２００ａよりも長いと共に、製品幅方向Ｗにおいて、クロッチ伸縮部２００ａよりも外側に備えられている。
【００５８】
例えば、レッグ伸縮部７５は、所定本数の弾性部材によって構成されていてもよい。また、図１及び図２に示すように、レッグ伸縮部７５は、クロッチ伸縮部２００ａと同様に、伸縮性シート部材で形成されていてもよい。
【００５９】
具体的には、かかる伸縮性シート部材の幅（使い捨ておむつ１０の自然状態における製品幅方向Ｗにおける幅）は、少なくとも股下域２５において、好ましくは、５ｍｍ以上４５ｍｍ以下であり、より好ましくは、１２.５ｍｍ以上３５ｍｍ以下である。
【００６０】
ここで、かかる伸縮性シート部材の幅が５ｍｍ未満では、実質的に面で着用者の脚回りに沿うという効果が発現せず、かかる伸縮性シート部材の幅が４５ｍｍを超えると、脚回りに沿う領域が広くなり、かかる伸縮性シート部材が着用者の身体側に巻き込んだり、めくれたりし易くなってしまう。
【００６１】
レッグ伸縮部７５の伸縮率は、１.５〜２.４倍であることが好ましい。例えば、本実施形態では、レッグ伸縮部７５の伸縮率は、１.９倍に設定されていてもよい。かかるレッグ伸縮部７５の伸縮率は、上述のクロッチ伸縮部２００ａの伸縮率と同様に規定されるものとする。
【００６２】
また、図１及び図２に示すように、一対のレッグ伸縮部７５の内側（製品幅方向Ｗにおける中央寄り）には、製品長手方向Ｌに沿って延びる一対のレッグサイドギャザー８０が備えられていてもよい。
【００６３】
図１及び図２に示すように、レッグサイドギャザー８０は、接合部分８１と、かかる接合部分８１と反対側に位置し、弾性部材８３が配置された自由端部分８２とを有する。
【００６４】
ここで、接合部分８１は、トップシート５０やバックシート６０や防漏シート６１に接合されていてもよい。
【００６５】
また、自由端部分８２の製品長手方向Ｌにおける前胴回り域２０側の端部及び後胴回り域３０側の端部は、トップシート５０に接合される。接合部分８１は、製品幅方向Ｗにおいて、クロッチ伸縮部２００ａとレッグ伸縮部７５との間に配置されている。
【００６６】
レッグサイドギャザー８０は、着用時には、接合部分８１を基端部として立ち上がり、自由端部分８２が頂点部として着用者の肌と接触する。
【００６７】
図１及び図２に示すように、吸収体４０には、第１変曲部１１６及び第２変曲部１２５が形成されている。
【００６８】
ここで、本明細書において、第１変曲部１１６及び第２変曲部１２５は、吸収体４０の切り欠きを示すのではなく、クロッチ伸縮部２００ａの収縮によって縮められた部位と縮められた部位以外の部分との間にできる部位を示す。
【００６９】
また、第２変曲部１２５は、第１変曲部１１６よりも後胴回り域３０側に位置している。
【００７０】
なお、第１変曲部１１６及び第２変曲部１２５は、製品幅方向Ｗに沿って延びており、使い捨ておむつ１０の曲げ基点となるように構成されている。
【００７１】
上述のクロッチ伸縮部２００ａは、第１変曲部１１６と第２変曲部１２５との間に形成されている。
【００７２】
ここで、第１変曲部１１６及び第２変曲部１２５は、クロッチ伸縮部２００ａの収縮によって縮められた部位と、縮められた部位以外の部位との剛性差によって形成される。この結果、使い捨ておむつ１０に、平坦な「底部」を形成することができる。
【００７３】
また、本実施形態では、第１変曲部１１６及び第２変曲部１２５のＬの外側の領域には、それぞれ切欠部１１０及び切欠部１２０が形成されている。切欠部１１０及び切欠部１２０は、吸収体４０を構成する吸収体コア４０ａが存在しない領域である。
【００７４】
図１及び図２に示すように、切欠部１１０及び切欠部１２０は、クロッチ伸縮部２００ａの製品長手方向Ｌにおける縁部に沿って形成されている。
【００７５】
なお、第１変曲部１１６及び第２変曲部１２５のＬの外側の領域において、切欠部１１０及び切欠部１２０を形成する代わりに、吸収体コア４０ａの目付を周辺領域よりも低くなるようにしてもよい。
【００７６】
切欠部１１０及び切欠部１２０は、第１変曲部１１６及び第２変曲部１２５をより良い状態にするために形成されている。
【００７７】
なお、切欠部１１０及び切欠部１２０が形成されている場合であっても、前胴回り域２０及び後胴回り域３０に位置する吸収体コア４０ａと、股下域２５に位置する吸収体コア４０ａとは、完全に切り離されることなく連続していることが好ましい。
【００７８】
切欠部１１０及び切欠部１２０は、製品幅方向Ｗの外側に行くに連れて、製品長手方向Ｌにおける長さが長くなるように構成されている。
【００７９】
このような形状により、吸収体コア４０ａの製品幅方向Ｗの外側が、より縮み易くなるため、使い捨ておむつ１０に、平坦な「底部」を形成しつつ、切欠部１１０よりも前胴回り域２０側に位置する吸収体コア４０ａ及び切欠部１２０よりも後胴回り域３０側に位置する吸収体コア４０ａが、平坦な「底部」から立ち上がり、着用者の身体（腹部及び臀部）の丸みに沿うように製品幅方向Ｗに湾曲し易くなる。
【００８０】
図１及び図２に示すように、切欠部１１０の前胴回り域２０側の縁部及び切欠部１２０よりも後胴回り域３０側の縁部は、円弧状であってもよい。
【００８１】
具体的には、切欠部１１０の前胴回り域２０側の縁部は、円弧の中心が、かかる縁部よりも後胴回り域３０側に位置するような形状であり、切欠部１２０の後胴回り域３０側の縁部は、円弧の中心が、かかる縁部よりも前胴回り域２０側に位置するような形状である。
【００８２】
このような形状により、着用者の体の丸みに沿った変形がより容易かつ顕著に起き易い。
【００８３】
なお、吸収体４０の製品幅方向Ｗにおける長さが最も短い領域は、クロッチ伸縮部２００ａが形成されている領域に配置されている。
【００８４】
また、使い捨ておむつ１０は、後胴回り域３０に形成され、製品幅方向Ｗに伸縮可能な一対のウェスト伸縮部（ウェストギャザー）２１０を備えている。
【００８５】
本実施形態において、一対のウェスト伸縮部２１０の各々は、クロッチ伸縮部２００ａやレッグ伸縮部７５と同様に、伸縮性シートによって構成されている。かかるウェスト伸縮部２１０を構成する部材については、特に限定されないが、出来る限り薄くて剛性が低く、幅入り率が小さいものを用いることが、柔軟に着用者の胴回りに、胴回り方向に沿って密着できるウェスト伸縮部２１０とするためには好ましい。
【００８６】
本実施形態では、ウェスト伸縮部２１０として、目付けが３０ｇ/ｍ２の伸縮性フィルムを用いた。
【００８７】
ウェスト伸縮部２１０は、非伸長状態（自然状態）における長さの１.５〜２.５倍に引き延ばされた後、ホットメルト接着剤又は加熱処理等によってバックシート６０に接着される。
【００８８】
ウェスト伸縮部２１０は、トップシート５０とバックシート６０との間に配置されている。なお、図３に示すように、トップシート５０とウェスト伸縮部２１０との間には、吸収体４０が配置されていてもよい。
【００８９】
或いは、吸収体４０とバックシート６０との間に配置される防漏シート６１が備えられる場合には、ウェスト伸縮部２０は、防漏シート６１とバックシート６０との間に配置されてもよい。
【００９０】
図１及び図２に示すように、ウェスト伸縮部２１０は、一対のウェスト伸縮部２１０によって構成されている。
【００９１】
また、一対のウェスト伸縮部２１０の間に、非伸縮領域２１１が形成されている。
【００９２】
なお、図２に示すように、一対のウェスト伸縮部２１０は、製品長手方向外側寄りの位置において接続されるように構成されていてもよい。ここで、一対のウェスト伸縮部２１０は、かかる一対のウェスト伸縮部２１０と同一の部材によって接続されるように構成されていてもよいし、かかる一対のウェスト伸縮部２１０と異なる部材によって接続されるように構成されていてもよい。
【００９３】
図４に示すように、使い捨ておむつ１０が、着用者に装着された場合、かかる非伸縮領域は、着用者の仙骨周辺の部位（或いは、仙骨の窪み部分に相当する部位）に接する部分である。
【００９４】
これらの部位は、着用者の身体において、筋肉や脂肪分が少なく、着用者の身体の外側から容易に骨（骨盤）の存在を確認することができる位置である。
【００９５】
ここで、着用者が動いた場合であっても、これらの部位は、着用者の骨格部に近いため、着用者の皮膚表面の動きが少ない、また、着用者の身体の中で弾力が少ない部位であるため、使い捨ておむつ１０を押し当てる力が、そのまま骨（骨盤）に作用することができる。
【００９６】
そのため、これらの部位に対して、使い捨ておむつ１０の非伸縮領域２１１を押し当てることで、使い捨ておむつ１０のズレを抑制することができる。
【００９７】
また、このように筋肉や脂肪分が少ない部位に対して、使い捨ておむつ１０の非伸縮領域２１１を押し当てても、着用者の肌に対して使い捨ておむつ１０の構成要素が食い込むという事態が発生し難く、着用者の肌が赤くなってしまうという事態を抑制することができる。
【００９８】
すなわち、本実施形態に係る使い捨ておむつ１０によれば、図４に示すように、クロッチ伸縮部２００ａによって、着用者の股下部に使い捨ておむつ１０を沿わせつつ、一対のウェスト伸縮部２００ａによる製品幅方向Ｗの収縮力Ｆｗによって、非伸縮領域２１１を着用者の仙骨周辺の部位に押し当てることで、着用者の背中における使い捨ておむつの１０のズレを抑制することができる。
【００９９】
また、図１に示すように、一対のウェスト伸縮部２１０は、吸収体４０と重なるように構成されていてもよい。
【０１００】
なお、図１に示すように、一対のウェスト伸縮部２１０の製品長手方向Ｌにおける位置及び吸収体４０の製品長手方向Ｌにおける位置がズレているケースでは、一対のウェスト伸縮部２１０及び吸収体４０が実際に重なっていなくてもよく、一対のウェスト伸縮部２１０の製品幅方向Ｗにおける位置及び吸収体４０の製品幅方向Ｗにおける位置が重なるように構成されていればよい。
【０１０１】
かかる場合、図１に示すように、後胴回り域３０において、距離Ｄ１が距離Ｄ２以下となる領域が設けられていることになる。
【０１０２】
ここで、距離Ｄ１は、ウェスト伸縮部２１０の各々における製品幅方向Ｗ内側の端部Ｅ５と使い捨ておむつ１０における製品幅方向Ｗの中心線Ｏとの間の距離である。
【０１０３】
一方、距離Ｄ２は、吸収体４０における製品幅方向Ｗ外側の端部Ｅ６と中心線Ｏとの間の距離である。
【０１０４】
かかる構成によれば、使い捨ておむつ１０の製品幅方向Ｗの中央領域に延びる吸収体４０を、着用者の身体の中心にある仙骨周辺の部位に対して、より確実に押し当てることができる。
【０１０５】
また、ウェスト伸縮部２１０の各々における製品幅方向Ｗ外側の端部Ｅ７は、ファスニングテープ９０の基端部９０ａと重ならないように構成されていてもよい。
【０１０６】
かかる構成によれば、ウェスト伸縮部２１０の各々における製品幅方向Ｗ外側の端部Ｅ７とファスニングテープ９０の基端部９０ａとの間にも、非伸縮領域２１２を設けることができ、かかる非伸縮領域２１２を、着用者の脇部にある腸骨稜及び上前腸骨棘に押し当てることができ、より使い捨ておむつ１０のズレを抑制することができる。
【０１０７】
また、クロッチ伸縮部２００ａにおける製品長手方向Ｌの前胴回り域２０側の端部Ｅ３と使い捨ておむつ１０の製品長手方向Ｌの前胴回り域２０側の端部Ｅ４との間の距離Ｄ４は、クロッチ伸縮部２００ａにおける製品長手方向Ｌの後胴回り域３０側の端部Ｅ２と使い捨ておむつ１０の製品長手方向Ｌの後胴回り域３０側の端部Ｅ１との間の距離Ｄ３よりも短くなるように構成されていてもよい。
【０１０８】
かかる構成によれば、使い捨ておむつ１０の着用時に平坦な「底」となり着用者の身体に沿うように構成されているクロッチ伸縮部２００ａが、着用者の股下部に装着される。クロッチ伸縮部２００ａが、着用者の背側（臀部側）よりも腹側寄りに変位した位置に存在することとなる一方、非伸縮領域２１１の部位が、着用者の背側に密着していることから、図１及び図２に示す領域Ｈの部位が、着用者の臀部に位置しつつ、着用者の身体と使い捨ておむつ１０本体との間に空間を形成する領域となる。
【０１０９】
この結果、クロッチ伸縮部２００ａを前寄り側に配置したことで、上述の領域Ｈをより広く確保することができ、領域Ｈに着用者によって排出された便を収容することができる。かつ、クロッチ伸縮部２００ａは、着用者の体に近づく位置へと持ち上がり、体に沿うので収容された便が前胴回り方向に流れにくい状態とすることができる結果、より安定して便を使い捨ておむつ１０内に保持でき漏れを防ぐことが可能となる。
【０１１０】
更には、主に、使い捨ておむつ１０の前胴回り域２０側寄りにて収容される尿と領域Ｈとが異なる位置に分離していることから、尿と便とが混在する状態となり難く、両者が混在することにより誘発される着用者の肌への刺激を低減することも可能となる。
【０１１１】
また、非伸縮領域２１１に対応する位置の肌当接面側のシート（例えば、トップシート５０）には、凹凸が設けられていてもよい。凹凸は、例えば、倦縮繊維等を用いて嵩高くされた不織布に部分的にエンボスを設けて形成したり、不織布シートそのものに積層された繊維量を部分的に変化させたりすることで形成することが可能となる。
【０１１２】
上述のように、非伸縮領域２１１は、着用者の身体に密着する部位であるため、着用者の肌面当接面側に設けられたシート（例えば、トップシート５０）に、凹凸を設けることで、密着による肌への刺激を低減させることができ、ウェスト伸縮部２１０の伸縮率を更に高め、より密着できる状態とすることも可能となる。
【０１１３】
また、非伸縮領域２１１の製品幅方向Ｗの長さＤ５（自然状態）は、クロッチ伸縮部２００ａの製品幅方向Ｗの長さＤ６（自然状態）よりも長くなるように構成されている。
【０１１４】
例えば、非伸縮領域２１１の製品幅方向Ｗの長さＤ５は、８０ｍｍであり、クロッチ伸縮部２００ａの製品幅方向Ｗの長さＤ６は、７０ｍｍであってもよい。
【０１１５】
ここで、クロッチ伸縮部２００ａは、着用者の身体に沿っているため、使い捨ておむつ１０の着用時には、着用者の身体に近い位置に、使い捨ておむつ１０が配置される。
【０１１６】
そのため、非伸縮領域２１１を着用者の身体から離れないようにすることで、使い捨ておむつ１０全体のズレを抑制することができる。
【０１１７】
すなわち、クロッチ伸縮部２００ａの製品幅方向Ｗに長さの範囲に相当する非伸縮領域２１１を、着用者の身体に密着させることで、使い捨ておむつ１０全体のズレを抑制することができる。
【０１１８】
（変更例）
クロッチ伸縮部２００ａは、上述の第１の実施形態の場合のように、少なくとも製品長手方向Ｌに伸縮可能となるように構成される代わりに、クロッチ伸縮部２００ａの製品長手方向Ｌにおける縁部にダーツ部を形成してもよい。
【０１１９】
かかるダーツ部は、上述のように、クロッチ伸縮部２００ａを平坦な「底部」とするために、バックシート６０の一部を摘むようにし、シート同士を接合することにより構成されている。
【０１２０】
或いは、クロッチ伸縮部２００ａは、上述の第１の実施形態の場合のように、少なくとも製品長手方向Ｌに伸縮可能となるように構成される代わりに、クロッチ伸縮部２００ａを補強シートによって構成してもよい。
【０１２１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２２】
１０…使い捨ておむつ
２０…前胴回り域
２５…股下域
３０…後胴回り域
３５…脚回り開口部
４０…吸収体
４０ａ…吸収体コア
４０ｂ…コアラップ
５０…トップシート
６０…バックシート
６１…防漏シート
７０…サイドフラップ
７５…レッグ伸縮部
８０…レッグサイドギャザー
８１…接合部分
８２…自由端部分
９０…ファスニングテープ
９１…ターゲットテープ
１１５…胴回り保持部
１１６…第１変曲部
１２５…第２変曲部
２００ａ…クロッチ伸縮部
２１０…ウェスト伸縮部
２１１…非伸縮領域
【図１】
2013248263.tif 000003
【図２】
2013248263.tif 000004
【図３】
2013248263.tif 000005
【図４】
2013248263.tif 000006